(57)【要約】【課題】部品の共通化によりコストの低下を図るとともに、ピクトグラムの劣化を抑制することができる照明装置を提供する。【解決手段】  照明装置１１は、本体１２、本体１２の内部に設けられる光源部２３と、光源部２３から出射された光を導光する導光板４３と、導光板４３を覆う透光性カバー４２、表面にピクトグラムを有し、導光板４３により導出された光を拡散するとともに、導光板４３と透光性カバー４２との間に配設された拡散シート４１とを備える。  【選択図】図３
2020021541.tif 000002
【特許請求の範囲】
【請求項１】
本体と；
前記本体の内部に設けられる光源部と；
前記光源部から出射された光を導光する導光板と；
前記導光板を覆う透光性カバーと；
表面にピクトグラムを有し、前記導光板により導光された光を拡散するとともに、前記導光板と前記透光性カバーとの間に配設された拡散シートと；
を備えることを特徴とする照明装置。  
【請求項２】
前記拡散シートは、一面側に拡散面を有し、他面側に前記ピクトグラムを有し、前記一面側が前記透光性カバーと対向するように配設されていることを特徴とする請求項１に記載の照明装置。
【請求項３】
前記拡散シートは、一面側にピクトグラムを有し、他面側に拡散面を有し、前記一面側が前記導光板と対向するように配設されていることを特徴とする請求項１に記載の照明装置。
【発明の詳細な説明】
【技術分野】
【０００１】
本発明の実施形態は、照明装置に関する。
【背景技術】
【０００２】
従来、誘導灯は、器具本体、この器具本体に取り付けられる表示ユニット、この表示ユニットを照明するランプを有するランプユニット、非常用電源となる蓄電池、および通常電源と蓄電池とで電源を切り換えてランプを点灯させる点灯装置などを備えている。表示ユニットは、パネルケースとパネルケースに取り付けられる表示パネルおよび導光板を備えており、表示パネルの表面にはピクトグラムが印刷されている。
【０００３】
このような誘導灯は、商用電源または蓄電池の電力によりランプを点灯させ、ランプから放射された光が、導光板により表示パネルに導光され、導光された光が、ピクトグラムが印刷された表示パネルを介して器具外部に放射される。これによるピクトグラムの表示で避難口への誘導が行われる。
【０００４】
しかしながら、従来の構造では、ピクトグラムに方向性がある場合、ピクトグラムが印刷された表示パネルを複数種類用意する必要がある。また、表示パネルの表面にピクトグラムが印刷されているため、外部からの接触等による傷や汚れよりピクトグラムが劣化するという問題があった。
【先行技術文献】
【特許文献】
【０００５】
【特許文献１】特開２００７−８０６８２号公報
【発明の概要】
【発明が解決しようとする課題】
【０００６】
本発明が解決しようとする課題は、部品の共通化によりコストの低下を図るとともに、ピクトグラムの劣化を抑制することができる照明装置を提供することである。
【課題を解決するための手段】
【０００７】
実施形態の照明装置は、本体と、本体の内部に設けられる光源部と、光源部から出射された光を導光する導光板と、導光板を覆う透光性カバーと、表面にピクトグラムを有し、導光板により導出された光を拡散するとともに、導光板と透光性カバーとの間に配設された拡散シートとを備える。
【発明の効果】
【０００８】
本発明によれば、部品の共通化によりコストの低下を図るとともに、ピクトグラムの劣化を抑制することが期待できる。
【図面の簡単な説明】
【０００９】
【図１】第１の実施形態の照明装置の組立状態の斜視図である。
【図２】同上照明装置の本体と表示体との分解状態の斜視図である。
【図３】同上照明装置の表示体の分解状態の斜視図である。
【図４】同上照明装置の表示体の分解状態の側面を示す模式的な説明図である。
【図５】同上照明装置の拡散シートに印刷されたピクトグラムを示す図である。
【図６】第２の実施形態の照明装置の表示体の分解状態の側面を示す模式的な説明図である。
【発明を実施するための形態】
【００１０】
以下、実施形態を図面を参照して説明する。
【００１１】
図１は照明装置の本体と表示体との分解状態の斜視図、図２は照明装置の組立状態の斜視図、図３は照明装置の表示体の分解状態の斜視図、図４は照明装置の表示体の分解状態の側面を示す模式的な説明図である。
【００１２】
図１および図２に示すように、照明装置１１は、天井面や垂直な壁面等の設置面に設置されて使用可能なように構成されており、本体１２、および本体１２に着脱可能に取り付けられる表示体１３を備えている。なお、本体１２に取り付けられた各表示体１３の広い主面側に垂直な方向を表示面方向と呼ぶ。
【００１３】
本体１２は、上面部１６、底面部１７、両側の側面部１８、およびこれの内側間に配置される背面部１９を有し、表示面方向に表示体１３で覆われる開口部２０が形成されている。本体１２の底面部１７および両側の側面部１８の外面には、表示体１３の取付位置に対応して、表示体１３が被着嵌合する窪み状の表示体嵌合部２１が形成されている。
【００１４】
本体１２の開口部２０内の上部側には、表示体１３を照明する光源部２３が取り付けられる。光源部２３は、たとえば、ＬＥＤが用いられ、細長状の基板に複数のＬＥＤが表面実装され、開口部２０の下部側に光を出射する向きに配設される。また、開口部２０内の下部側には、バッテリ装着部２４を有する装着ユニット２５が取り付けられている。この装着ユニット２５に、商用電源などの通常電源を照明装置１１に供給する電線が接続される端子台２６、バッテリ装着部２４に装着される非常用電源となるバッテリ２７、通常電源とバッテリ２７の非常用電源とで切り換えて光源部２３が備える光源を点灯させる点灯ユニット２８などが取り付けられている。
【００１５】
本体１２の上面部１６には、照明装置１１を天井面に取り付けるための取付孔（図示しない）や電線が挿通される電線挿通孔（図示しない）が形成されている。
【００１６】
本体１２の底面部１７の一端寄り位置には、その内側に配置される装着ユニット２５のバッテリ装着部２４に対してバッテリ２７を着脱可能とするバッテリ着脱口３４が設けられ、このバッテリ着脱口３４にはバッテリ着脱口カバー３５が開閉可能に取り付けられている。また、本体１２の底面部１７の他端寄り位置には、バッテリ２７や点灯ユニット２８を点検する点検スイッチ３６や、バッテリ２７や光源部２３が備える光源の状態などを表示する発光ダイオードなどの複数の表示部３７が配設されている。
【００１７】
また、図３に示すように、表示体１３は、本体１２に着脱可能に取り付けられるカバー体４０、このカバー体４０に取り付けられる反射シート４４、導光板４３、拡散シート４１および透光性カバー４２を備えている。
【００１８】
カバー体４０には、本体１２の上面部１６の表示体嵌合部２１に嵌り込むとともに光源部２３を覆う上部の光源カバー部４５、本体１２の底面部１７の表示体嵌合部２１に嵌り込んで本体１２の下面に重なり合う下部の略Ｌ字形の重なり部４６、および本体１２の側面部１８の表示体嵌合部２１に嵌り込む側面部４７が一体に形成されている。さらに、カバー体４０の光源カバー部４５と重なり部４６と側面部４７との間に反射シート４４、導光板４３、拡散シート４１、透光性カバー４２が嵌め込まれる収納凹部４８が形成され、この収納凹部４８の奥側の面を覆って仕切板４９が形成されている。仕切板４９の上部と光源カバー部４５の下部との間には反射シート４４、導光板４３、拡散シート４１、透光性カバー４２が差し込まれる差込溝５０が形成されている。この差込溝５０における仕切板４９の上部と光源カバー部４５の下部との間の幅は、透光性カバー４２および導光板４３の厚みよりも大きく、透光性カバー４２および導光板４３が無理なく差し込まれるように形成されている。また、収納凹部４８内の両側面および底面には複数の係止爪５１が突設されている。
【００１９】
図３に示すように、仕切板４９から前面に向かい反射シート４４、導光板４３、拡散シート４１、透光性カバー４２の順番で配設される。
【００２０】
反射シート４４は、たとえば、合成樹脂製のシート材が白色に着色されたものであり、表面が反射面となるように形成されている。反射シート４４は、導光板４３から仕切板４９の方向へ導光された光源の光を表示面方向へ反射する。
【００２１】
導光板４３は、たとえば、アクリル樹脂、ポリカーボネート樹脂などの合成樹脂により形成され、光出射面に対向する面に光透過制御材(白色顔料)の入ったインクが規則的に印刷されたドット印刷、光出射面に対向する面に複数の凹凸を設けるプリズムカット形状またはドット加工、光出射面に対向する面を研磨して微細な凹凸を設ける粗面加工などの配光手段が設けられ、入射された光が出射面に導光する機能を有する。この導光板４３は、上面を光源からの光の入射面とし、透光性カバー４２に対向する面を光の出射面としている。導光板４３は、上面から下面へ近づくほど上下方向と直交する方向の厚さ寸法が小さくなるように光出射面と対向する背面側が傾斜状で形成されている。
【００２２】
拡散シート４１は、導光板４３および透光性カバー４２よりも厚みが薄い透明な樹脂シートの片面側に拡散材料を分散したシートであり入射した光を拡散する機能を有する。図４に示すように、拡散シート４１は、一面側に拡散材料が分散された拡散面４１１を有し、一側面とは反対の他面側に誘導を示す絵柄、文字、矢印などを表すピクトグラムが、たとえば、インクジェット印刷やスクリーン印刷により印刷されたピクトグラム印刷面４１２を有する。つまり、拡散シート４１は拡散面４１１とピクトグラム印刷面４１２を有する。ピクトグラムを拡散面４１１と反対の面に印刷することで、ピクトグラムを良好に印刷できるとともに、拡散面４１１にインクを印刷しないため、拡散面４１１の拡散度を低下させる虞がない。ピクトグラムは緑色のインクにより印刷されており、導光板４３から放射されピクトグラムを通過した光は緑色に変換され、印刷されていない箇所を通過した光は白色の光となる。したがって、光の照射による光色のコントラストでピクトグラムが鮮明化して視認できるようになる。拡散シート４１は、拡散面４１１が透光性カバー４２と対向し、ピクトグラム印刷面４１２が導光板４３と対向するように配設される。
【００２３】
透光性カバー４２は、透光性を有し、両側および下側に拡散シート４１および導光板４３を嵌め込む縁部５２が形成され、上辺には窪み状の段部５３が形成されている。つまり、拡散シート４１は透光性カバー４２と導光板４３とに挟み込まれる。縁部５２には各係止爪５１に係止可能とする複数の係合孔５４が形成されている。
【００２４】
そして、導光板４３および拡散シート４１を組み込んだ透光性カバー４２の上端を仕切板４９の表示面方向に反射シート４４を配設したカバー体４０の差込溝５０に斜め下方から差し込み、透光性カバー４２の段部５３を光源カバー部４５の下部に係合させ、透光性カバー４２の下側を回動させてカバー体４０の収納凹部４８に嵌め込まれている。透光性カバー４２が収納凹部４８に嵌め込まれた状態では、透光性カバー４２の各係合孔５４が収納凹部４８の各係止爪５１に係着され、その嵌め込まれた状態に係止されている。
【００２５】
このように、照明装置１１は、拡散シート４１にピクトグラムを印刷することにより、設置場所により右向きに誘導するもの、左向きに誘導するものなどのようにピクトグラムの方向性が異なる場合でも拡散シート４１を交換するだけでよく、拡散シート４１以外の部材が共通化できるため製造コストの削減を図ることができる。また、拡散シート４１は透光性カバーと比べ薄く、割れて破損するおそれが少ないため、保管がしやすい。
【００２６】
また、照明装置１１は、ピクトグラムが印刷された拡散シート４１が透光性カバー４２により覆われているため、外部からピクトグラムに接触することを防止することができる。これにより、ピクトグラムの傷や汚れによる劣化を抑制することができる。
【００２７】
また、図５に示すように拡散シート４１は、たとえば図５（a）または（b）のように異なるピクトグラムが印刷された拡散シート４１を準備しておくことで、照明装置１１の設置位置に応じて適切なピクトグラムを容易に変更することができる。
【００２８】
また、導光板４３から導出した光を外部に均一に放出するためには拡散シート４１のような拡散部材を設ける必要があり、この拡散シート４１の表面にピクトグラムを印刷することで部品数の増加を抑えた構成にすることができる。このピクトグラムは、導光板４３や透光性カバー４２よりも厚さが薄い拡散シート４１に印刷することで拡散面と印刷面との距離が近くなるため、ピクトグラム印刷面４１２を通過した光がより拡散される。また、たとえば、ピクトグラムを透光性カバー４２に印刷する場合、透光性カバー４２は縁部５２や窪み状の段部５３が形成されているため印刷がしにくく、カバーの形状に合わせた印刷機が必要となる。一方、拡散シート４１は透光性カバー４２よりも薄く均一な形状であるため透光性カバー４２に印刷する場合と比べ製造しやすい。
【００２９】
次に、図４を参照して照明装置１１の光の出射経路について説明する。
【００３０】
照明装置１１は、光源部２３から光が出射され、この光は導光板４３の上面に入射する。導光板４３に入射した光は導光され表示面方向である拡散シート４１に放射される。また、導光板４３から背面側に漏れた光は反射シート４４により反射され導光板４３を介して拡散シート４１に放射される。拡散シート４１に入射した光は、ピクトグラム印刷面４１２を通過し、拡散面４１１により拡散され、透光性カバーを通過して外部に放射される。
【００３１】
つまり、光は拡散シート４１の印刷面により緑色に変換された後に拡散面により拡散されるため、白色および緑色の光を広い範囲に拡散することができる。
【００３２】
したがって、拡散シート４１にピクトグラムを印刷することでピクトグラムの劣化を抑制するとともに、良好な拡散性を有する照明装置とすることができる。
【００３３】
また、拡散シートの一面側に拡散面４１１、他面側にピクトグラム印刷面４１２を有することにより拡散シートの表裏を容易に見分けることができるため、作業者が拡散シート４１を交換する際に表裏を間違えて配設する虞を抑制することができる。
【００３４】
次に第２の実施形態について図面を参照して説明する。
【００３５】
第２の実施形態の照明装置の基本構成は第１の実施形態と同様であるが、拡散シートが相違している。
【００３６】
図６は第２の実施形態の照明装置の表示体の分解状態の側面を示す模式的な説明図である。図６に示すように、拡散シート４１は、一面側にピクトグラム印刷面４１２を有し、一側面とは反対の他面側に拡散面４１１を有する。拡散シート４１は、ピクトグラム印刷面４１２が透光性カバー４２と対向し、拡散面４１１が導光板４３と対向するように配設される。つまり、第２実施形態は、第１の実施形態の拡散シート４１の拡散面４１１とピクトグラム印刷面４１２が逆になるように配設される。
【００３７】
次に、図６を参照して第２の実施形態の照明装置１１の光の出射経路について説明する。
【００３８】
照明装置１１は、光源部から光が出射され、この光は導光板４３の上面に入射し、拡散シート４１に放射される。また、導光板４３から背面側に漏れた光は反射シート４４により反射され導光板４３を介して拡散シート４１に放射される。拡散シート４１に入射した光は、拡散面４１１により拡散され、ピクトグラム印刷面４１２を通過し、透光性カバーを通過して外部に放射される。
【００３９】
つまり、光は拡散シート４１の拡散面により拡散された後に印刷面により緑色に変換される。そのため、ピクトグラムのコントラストを良好に表示することができる。
【００４０】
したがって、拡散シート４１にピクトグラムを印刷することでピクトグラムの劣化を抑制するとともに、ピクトグラムを良好に表示することができる照明装置とすることができる。
【００４１】
なお、実施形態においてピクトグラムは、たとえば、インクジェット印刷やスクリーン印刷によって拡散シート４１に印刷される形態について説明したが、これに限るものではない。たとえば、スプレーコートなどでもよい。
【００４２】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
１１    照明装置
１２    本体
１３    表示体
２３    光源部
４０    カバー体
４１    拡散シート
４２    透光性カバー
４３    導光板
４４    反射シート
４５    光源カバー部
４６    重なり部
【図１】
2020021541.tif 000003
【図２】
2020021541.tif 000004
【図３】
2020021541.tif 000005
【図４】
2020021541.tif 000006
【図５】
2020021541.tif 000007
【図６】
2020021541.tif 000008